(57)【要約】【課題】簡単な作業で天板などの被支持体の高さを調整することができる高さ調整機構および同高さ調整機構を備えた什器を提供する。【解決手段】机１０１は、下側支持脚１１２と上側支持脚１２２との間に高さ調整具１３０を備えている。高さ調整具１３０は、ストッパプレート１３１、中間筒１３２、内筒体１３３および外筒体１４０を備えている。ストッパプレート１３１は、上側支持脚１２２のストッパ係合部１２３に嵌合する係合突起１３１ａを備えている。中間筒１３２は、下側支持脚１１２と上側支持脚１２２との間に配置される筒状体で構成されている。内筒体１３３は、周方向に沿って張り出し量が増加してストッパプレート１３１を径方向外側に押圧する内側押圧部１３４が形成されている。外筒体１４０は、内側押圧部１３４の張り出し量の減少とともに内径が減少してストッパプレート１３１を径方向内側に押圧する外側押圧部１４１が形成されている。【選択図】  図２
2019072296.tif 000002
【特許請求の範囲】
【請求項１】
設置面上から起立するパイプ状の下側支持脚と、
前記下側支持脚の上方で支持される被支持体から下垂して前記下側支持脚内に摺動自在に挿し込まれるパイプ状の上側支持脚と、
前記下側支持脚における前記上側支持脚が挿し込まれる部分に設けられて同上側支持脚を任意の挿し込み量の位置で支持して前記被支持体の高さを調整する高さ調整具とを備えた高さ調整機構であって、
前記下側支持脚は、
外周面上に内部に貫通する少なくとも１つのストッパ貫通孔を有しており、
前記上側支持脚は、
前記下側支持脚内に挿し込まれた際に前記ストッパ貫通孔に重なる位置に形成された凹状のストッパ係合部を有しており、
前記高さ調整具は、
前記下側支持脚の外側に摺動自在に嵌合する円筒体で構成されるとともに同円筒体の外周面上における前記ストッパ貫通孔と重なる位置に周方向に沿って帯状に延びる逃げ孔を有した内筒体と、
前記内筒体の外周面上に配置されて前記逃げ孔および前記ストッパ貫通孔をそれぞれ貫通して前記ストッパ係合部に嵌合する係合突起を有したストッパプレートと、
前記内筒体の外周面上に前記ストッパプレートを介して嵌合して同内筒体と一体的に前記下側支持脚の周方向に回動する円筒体で構成された外筒体とを備え、
前記内筒体は、
周方向に沿って張り出し量が増加して前記ストッパプレートを径方向外側に押圧することで前記係合突起を前記ストッパ係合部に対して嵌合した状態から外れた状態に変位させる内側押圧部を有し、
前記逃げ孔は、前記内側押圧部に沿って形成されており、
前記外筒体は、
前記ストッパプレートに対向する内周面に前記内側押圧部に沿って同内側押圧部の張り出し量の減少とともに内径が減少して前記ストッパプレートを径方向内側に押圧することで前記係合突起を前記ストッパ係合部に対して外れた状態から嵌合した状態に変位させる外側押圧部を有することを特徴とする高さ調整機構。
【請求項２】
請求項１に記載した高さ調整機構において、
前記外側押圧部は、
前記内径が最小部分と最大部分との中間部に前記ストッパプレートを弾性的に押圧する弾性押圧部を有することを特徴とする高さ調整機構。
【請求項３】
請求項１または請求項２に記載した高さ調整機構において、
前記ストッパ貫通孔、前記逃げ孔および前記係合突起は、少なくとも２つ設けられており、
前記ストッパ係合部は、前記ストッパ貫通孔、前記逃げ孔および前記係合突起の数よりも多く形成されていることを特徴とする高さ調整機構。
【請求項４】
請求項１ないし請求項３のうちのいずれか１つに記載した高さ調整機構において、さらに、
前記下側支持脚と前記上側支持脚との間に樹脂製の円筒体からなる中間筒を備えることを特徴とする高さ調整機構。
【請求項５】
請求項１ないし請求項４のうちのいずれか１つに記載した高さ調整機構において、
前記外筒体および前記内筒体のうちの少なくとも一方は、
前記下側支持脚に対して引っ掛かることで同下側支持脚に対する回動を阻止するロック突起を備えることを特徴とする高さ調整機構。
【請求項６】
設置面上から起立するパイプ状の下側支持脚と、
前記下側支持脚の上方で支持される被支持体から下垂して前記下側支持脚内に摺動自在に挿し込まれるパイプ状の上側支持脚と、
前記下側支持脚における前記上側支持脚が挿し込まれる部分に設けられて同上側支持脚を任意の挿し込み量の位置で支持して前記被支持体の高さを調整する高さ調整具とを備えた什器であって、
前記被支持体の高さを調整する高さ調整機構として、請求項１ないし請求項５のうちのいずれか１つに記載した高さ調整機構を備えていることを特徴とする什器。
【請求項７】
請求項６に記載した什器において、
前記被支持体は、机における天板であることを特徴とする什器。
【請求項８】
請求項６に記載した什器において、
前記被支持体は、椅子における座面を構成する座板であることを特徴とする什器。
【発明の詳細な説明】
【技術分野】
【０００１】
本発明は、机の天板や椅子の座面などの高さを調整する高さ調整機構および同高さ調整機構を備えた什器に関する。
【背景技術】
【０００２】
従来から、床面上から起立する支持脚の上部に板状の天板が設けられた机がある。例えば、下記特許文献１には、床面から起立する左右一対の足体と天板から下垂する左右一対の天板支持体とがそれぞれ２つずつのボルトで連結された学習机としての机が開示されている。
【先行技術文献】
【特許文献】
【０００３】
【特許文献１】特開２０１７−８０１２６号公報
【０００４】
しかしながら、上記特許文献１に示された机においては、足体と天板支持体とを連結する４つのボルトの取り外し作業および取り付け作業によって天板の高さを調整するため、天板の高さ調整のための作業が煩雑であるとともにボルトを弛めるまたは締めるためのドライバーなどの工具も必要となって高さ調整作業における作業負担が大きいという問題がある。これにより、学校で新年度を迎えるにあたっての天板の高さ調整作業は特に作業負担が大きいという問題があった。
【０００５】
本発明は上記問題に対処するためなされたもので、その目的は、簡単な作業で天板などの被支持体の高さを調整することができる高さ調整機構および同高さ調整機構を備えた什器を提供することにある。
【発明の概要】
【０００６】
上記目的を達成するため、本発明の特徴は、設置面上から起立するパイプ状の下側支持脚と、下側支持脚の上方で支持される被支持体から下垂して下側支持脚内に摺動自在に挿し込まれるパイプ状の上側支持脚と、下側支持脚における上側支持脚が挿し込まれる部分に設けられて同上側支持脚を任意の挿し込み量の位置で支持して被支持体の高さを調整する高さ調整具とを備えた高さ調整機構であって、下側支持脚は、外周面上に内部に貫通する少なくとも１つのストッパ貫通孔を有しており、上側支持脚は、下側支持脚内に挿し込まれた際にストッパ貫通孔に重なる位置に形成された凹状のストッパ係合部を有しており、高さ調整具は、下側支持脚の外側に摺動自在に嵌合する円筒体で構成されるとともに同円筒体の外周面上におけるストッパ貫通孔と重なる位置に周方向に沿って帯状に延びる逃げ孔を有した内筒体と、内筒体の外周面上に配置されて逃げ孔およびストッパ貫通孔をそれぞれ貫通してストッパ係合部に嵌合する係合突起を有したストッパプレートと、内筒体の外周面上にストッパプレートを介して嵌合して同内筒体と一体的に下側支持脚の周方向に回動する円筒体で構成された外筒体とを備え、内筒体は、周方向に沿って張り出し量が増加してストッパプレートを径方向外側に押圧することで係合突起をストッパ係合部に対して嵌合した状態から外れた状態に変位させる内側押圧部を有し、逃げ孔は、内側押圧部に沿って形成されており、外筒体は、ストッパプレートに対向する内周面に内側押圧部に沿って同内側押圧部の張り出し量の減少とともに内径が減少してストッパプレートを径方向内側に押圧することで係合突起をストッパ係合部に対して外れた状態から嵌合した状態に変位させる外側押圧部を有することにある。
【０００７】
このように構成した本発明の特徴によれば、高さ調整機構は、外筒体を手動で回動操作することで内筒体を回動させてストッパプレートの係合突起をストッパ係合部から離隔させて上側支持脚を下側支持脚に対して上下動可能な状態にすることができるとともに、外筒体を手動で回動操作することで係合突起をストッパ係合部に嵌合させて上側支持脚を下側支持脚に対して上下動が不能な固定状態とすることができる。すなわち、本発明に係る高さ調整機構によれば、高さ調整具を手動操作することで被支持体の高さ調整が可能な状態と不能な状態を容易に切り替えることができるため、工具を使用することなく簡単な作業で被支持体の高さを調整することができる。
【０００８】
また、本発明の他の特徴は、前記高さ調整機構において、外側押圧部は、内径が最小部分と最大部分との中間部にストッパプレートを弾性的に押圧する弾性押圧部を有することにある。
【０００９】
このように構成した本発明の他の特徴によれば、高さ調整機構は、外側押圧部における内径が最小部分と最大部分との中間部にストッパプレートを弾性的に押圧する弾性押圧部を有することでストッパプレートの係合突起がストッパ係合部に弾性的に係合する状態を形成することができるため、上側支持脚を下側支持脚に対して弱い係合状態、すなわち仮止め状態とすることができ上側支持脚の自然落下を防止しつつ上下動させることができる。
【００１０】
また、本発明の他の特徴は、前記高さ調整機構において、ストッパ貫通孔、逃げ孔および係合突起は、少なくとも２つ設けられており、ストッパ係合部は、ストッパ貫通孔、逃げ孔および係合突起の数よりも多く形成されていることにある。
【００１１】
このように構成した本発明の他の特徴によれば、高さ調整機構は、ストッパ貫通孔、逃げ孔および係合突起が少なくとも２つ設けられているため、下側支持脚に対して上側支持脚を安定的に支持することができるとともに、ストッパ係合部がストッパ貫通孔、逃げ孔および係合突起の数よりも多く形成されていることで被支持体の高さ位置を複数の位置で調整することができる。
【００１２】
また、本発明の他の特徴は、前記高さ調整機構において、さらに、下側支持脚と上側支持脚との間に樹脂製の円筒体からなる中間筒を備えることにある。
【００１３】
このように構成した本発明の他の特徴によれば、高さ調整機構は、下側支持脚と上側支持脚との間に樹脂製の円筒体からなる中間筒を備えるため、下側支持脚と上側支持脚とのガタツキ、摺動音および摩耗を抑えることができ、高さ調整された被支持体の安定性の向上、作業時の騒音の低減、および下側支持脚および上側支持脚の耐久性を向上させることができる。
【００１４】
また、本発明の他の特徴は、前記高さ調整機構において、外筒体および内筒体のうちの少なくとも一方は、下側支持脚に対して引っ掛かることで同下側支持脚に対する回動を阻止するロック突起を備えることにある。
【００１５】
このように構成した本発明の他の特徴によれば、高さ調整機構は、外筒体および内筒体のうちの少なくとも一方に下側支持脚に対して引っ掛かることで同下側支持脚に対する回動を阻止するロック突起を備えるため、外筒体および内筒体の回動を規制することができ子供などによる不要なまたは自由な被支持体の高さ調整を制限することができる。
【００１６】
また、本発明は高さ調整機構の発明として実施できるばかりでなく、この高さ調整機構を備えた什器の発明としても実施できるものである。
【００１７】
具体的には、設置面上から起立するパイプ状の下側支持脚と、下側支持脚の上方で支持される被支持体から下垂して下側支持脚内に摺動自在に挿し込まれるパイプ状の上側支持脚と、下側支持脚における上側支持脚が挿し込まれる部分に設けられて同上側支持脚を任意の挿し込み量の位置で支持して被支持体の高さを調整する高さ調整具とを備えた什器であって、被支持体の高さを調整する高さ調整機構として、請求項１ないし請求項５のうちのいずれか１つに記載した高さ調整機構を備えるようにすればよい。これによっても、上記高さ調整機構と同様の作用効果を期待することができる。
【００１８】
この場合、前記什器において、被支持体は、机における天板であるとよい。すなわち、什器は、机として構成することができる。
【００１９】
また、この場合、前記什器において、被支持体は、椅子における座面を構成する座板であるとよい。すなわち、什器は、椅子として構成することができる。
【００２０】
また、什器としては、机や椅子の他に、ホワイトボード、三脚またはマイクスタンドなどで構成することができる。
【図面の簡単な説明】
【００２１】
【図１】本発明の一実施形態に係る高さ調整機構を備えた机を斜め方向から見た外観構成の概略を示す斜視図である。
【図２】図１に示した机の主要部品の外観構成の概略を示した分解斜視図である。
【図３】（Ａ），（Ｂ）は図２に示す机を構成する先端部材の外観構成の概略を示しており、（Ａ）は先端部材を斜め方向から見た斜視図であり、（Ｂ）は（Ａ）の反対方向から先端部材を見た斜視図である。
【図４】図２に示す机を構成するストッパプレートを斜め方向から見た外観構成の概略を示す斜視図である。
【図５】（Ａ），（Ｂ）は図２に示す机を構成する中間筒の外観構成の概略を示しており、（Ａ）は中間筒を斜め方向から見た斜視図であり、（Ｂ）は（Ａ）の反対方向から中間筒を見た斜視図である。
【図６】（Ａ），（Ｂ）は図２に示す机を構成する内筒体の外観構成の概略を示しており、（Ａ）は内筒体を斜め方向から見た斜視図であり、（Ｂ）は（Ａ）の反対方向から内筒体を見た斜視図である。
【図７】図２に示す机を構成する内筒体の斜め上方から見た外観構成の概略を示す斜視図である。
【図８】（Ａ），（Ｂ）は図２に示す机を構成する外筒体の外観構成の概略を示しており、（Ａ）は外筒体を斜め方向から見た斜視図であり、（Ｂ）は（Ａ）の反対方向から外筒体を見た斜視図である。
【図９】図２に示す机を構成する外筒体の斜め下方から見た外観構成の概略を示す斜視図である。
【図１０】図１示す高さ調整具の作動の様子を説明するために、高さ調整具における２つの弾性押圧部のうちの上側の弾性押圧部の位置でのフリー状態での断面状態を示す説明図である。
【図１１】図１示す高さ調整具の作動の様子を説明するために、高さ調整具における２つの弾性押圧部のうちの上側の弾性押圧部の位置での仮止め状態での断面状態を示す説明図である。
【図１２】図１示す高さ調整具の作動の様子を説明するために、高さ調整具における２つの弾性押圧部のうちの上側の弾性押圧部の位置での支持状態での断面状態を示す説明図である。
【発明を実施するための形態】
【００２２】
以下、本発明に係る高さ調整機構およびこの高さ調整機構を備えた什器の一実施形態について図面を参照しながら説明する。図１は、本発明の一実施形態に係る高さ調整機構１００を備えた机１０１を斜め方向から見た外観構成の概略を示す斜視図である。また、図２は、図１に示した机１０１の主要部品の外観構成の概略を示した分解斜視図である。なお、本明細書において参照する各図は、本発明の理解を容易にするために一部の構成要素を誇張して表わすなど模式的に表していることがあるため、各構成要素間の寸法や比率などは異なっていることがある。この高さ調整機構１００は、小学校や中学校などの教育施設などにおいて児童や生徒が教室で図示しない椅子とともに使用する学習机からなる机１０１における天板１２０の高さを調整するものである。
【００２３】
（高さ調整機構１００および机１０１の構成）
机１０１は、主として、ベース脚１１０、天板１２０および高さ調整具１３０をそれぞれ備えている。ベース脚１１０は、天板１２０を床面から所定の高さ位置に水平状態で支持するための部品であり、鋼製のパイプ材を連結して構成されている。具体的には、ベース脚１１０は、机１０１の前後方向に互いに平行に延びる２つのパイプ材からなる足体１１１上にそれぞれ下側支持脚１１２が垂直方向に起立した状態で設けられるとともに、これらの２つの下側支持脚１１２同士が連結棒１１３で互いに連結されて構成されている。なお、足体１１１の両端部には、樹脂製のキャップがそれぞれ嵌め込まれている。
【００２４】
２つの下側支持脚１１２は、それぞれ後述する上側支持脚１２２を高さ方向の複数の位置で支持するための部品であり、鋼製のパイプ材で構成されている。これらの各下側支持脚１１２における上端部分には、ストッパ貫通孔１１４、切欠き部１１５および止め孔１１６がそれぞれ形成されている。
【００２５】
ストッパ貫通孔１１４は、後述するストッパプレート１３１に形成された係合突起１３１ａを貫通させるための部分であり、下側支持脚１１２の内部に貫通する正面で方形の孔で構成されている。本実施形態においては、ストッパ貫通孔１１４は、下側支持脚１１２の上端部付近に１つ形成されるとともに、その下方に所定の間隔を介してもう１つ形成されている。すなわち、ストッパ貫通孔１１４は、上下方向に沿って２つ形成されている。
【００２６】
この場合、２つのストッパ貫通孔１１４の間隔は、ストッパプレート１３１に形成された２つの係合突起１３１ａの間隔と同じである。そして、これらの２つのストッパ貫通孔１１４は、互いに平行に延びる２つの下側支持脚１１２の各外周面における互いに対向する面、すなわち下側支持脚１１２の内側の外周面上にそれぞれ形成されている。なお、これらの２つのストッパ貫通孔１１４は、下側支持脚１１２の外側の外周面上に形成してもよく、周方向上における形成位置は本実施形態に限定されるものではない。
【００２７】
切欠き部１１５は、後述する中間筒１３２に形成されるロック突起係合部１３２ｃが嵌合する部分であり、下側支持脚１１２の上端部から凹状に切り欠かれて形成されている。この切欠き１１５部は、下側支持脚１１２の上端部に周方向に沿って所定の間隔を介して３つ形成されている。この場合、３つの切欠き部１１５は、高さ調整具１３０における３つの状態である支持状態、仮止め状態およびフリー状態にそれぞれ対応している。止め孔１１６は、前記中間筒１３２を下側支持脚１１２に固定するための貫通孔であり、下側支持脚１１２の周方向における互いに反対側の位置にそれぞれ形成されている。
【００２８】
天板１２０は、机１０１の上面を構成する上面視で方形の部品であり、板状の木材を積層して構成されている。この天板１２０には、１つの底板１２１および２つの上側支持脚１２２がそれぞれ設けられている。底板１２１は、天板１２０の下方に設けられて机１０１の使用者の私物を収容する収容部を構成する部品であり、方形状の鋼板の３辺をそれぞれ上方に起立させた形状に形成されている。この底板１２１は、前記起立させた３辺を天板１２０の下面にボルト（図示せず）によって固定されている。
【００２９】
２つの上側支持脚１２２は、２つの下側支持脚１１２にそれぞれ挿し込まれた状態で支持されて天板１２０を支持する部品であり、垂直方向に延びる鋼製のパイプ材で構成されている。この場合、各上側支持脚１２２は、鋼製のパイプ材を水平方向に平面視で略Ｕ字状に曲げたＵ字部材１２６を介して互いに連結された状態で天板１２０に取り付けられて天板１２０を支持している。これらの各上側支持脚１２２には、ストッパ係合部１２３および止め孔１２４がそれぞれ形成されている。
【００３０】
ストッパ係合部１２３は、ストッパプレート１３１の係合突起１３１ａが引っ掛けられる部分であり、上側支持脚１２２の外表面から凹状に窪んで形成されている。本実施形態においては、ストッパ係合部１２３は、上側支持脚１２２の下方から上方に向かって徐々に深さが深くなる正面視で略逆三角形状に形成されている。このストッパ係合部１２３は、互いに平行に延びる２つの上側支持脚１２２における互いに対向する外周面上に上下方向に沿って一直線上に複数形成されている。
【００３１】
この場合、上下方向に互いに隣接するストッパ係合部１２３の間隔は、ストッパプレート１３１に形成された２つの係合突起１３１ａの間隔と同じである。そして、これらの複数のストッパ係合部１２３は、互いに平行に延びる２つの上側支持脚１２２の各外周面における互いに対向する面、すなわち上側支持脚１２２の内側の外周面上にそれぞれ形成されている。本実施形態においては、ストッパ係合部１２３は、上側支持脚１２２の下端部付近から上端部付近まで形成されている。なお、これらのストッパ係合部１２３は、上側支持脚１２２の外側の外周面上に形成してもよく、周方向上における形成位置は本実施形態に限定されるものではない。
【００３２】
止め孔１２４は、先端部材１２５を上側支持脚１２２の先端部に固定するための貫通孔であり、上側支持脚１２２の周方向における互いに反対側の位置にそれぞれ形成されている。この場合、各止め孔１２４は、上側支持脚１２２の軸方向に延びる長孔状に形成されている。
【００３３】
先端部材１２５は、図３（Ａ），（Ｂ）にそれぞれ示すように、下側支持脚１１２内に挿し込んだ上側支持脚１２２の抜けを防止するための部品であり、樹脂製からなる円筒体に上側引掛け部１２５ａ、下側引掛け部１２５ｂおよび規制部１２５ｃがそれぞれ形成されている。上側引掛け部１２５ａは、上側支持脚１２２に形成された止め孔１２４に弾性的に引っ掛けられる部分であり、上側に延びる板状体の先端部に鉤爪が形成されて構成されている。この上側引掛け部１２５ａは、止め孔１２４に対応して先端部材１２５の周方向における互いに反対側の２つの位置にそれぞれ形成されている。
【００３４】
下側引掛け部１２５ｂは、中間筒１３２の下端部に弾性的に引っ掛けられる部分であり、先端部材１２５の周方向に沿って下側に片持ち梁状に延びる複数の板状体の各先端部に鉤爪がそれぞれ形成されて構成されている。本実施形態においては、下側引掛け部１２５ｂは、先端部材１２５の周方向に沿って等間隔に６つ形成されている。
【００３５】
この場合、下側引掛け部１２５ｂの上端部に形成された段部は、上側支持脚１２２の下端部が突き当たる部分であり、径方向外側に張り出して形成されている。また、下側引掛け部１２５ｂにおける鉤爪部分より上方の板状の部分は、中間筒１３２の内周面を弾性的に押圧する部分であり同内周面の内径よりも若干太い外径で形成されている。また、下側引掛け部１２５ｂにおける鉤爪部分は、下側支持脚１１２の内周面を弾性的に押圧する部分であり同内周面の内径よりも若干太い外径で形成されている。これらにより、下側引掛け部１２５ｂは、天板１２０の板面方向のガタツキを抑えている。
【００３６】
規制部１２５ｃは、上側支持脚１２２が上下方向のストロークの最下限位置まで下降した際に上側支持脚１２２の下端部に先立って足体１１１に衝突して上側支持脚１２２の下端部の損傷を防止するための部分であり、先端部材１２５の軸芯から径方向に放射状に延びる板状体で構成されている。この場合、規制部１２５ｃは、前記下側引掛け部１２５ｂの内周面との間に下側引掛け部１２５ｂの径方向内側への弾性変形を許容するための隙間が設けられているとともに、軸線方向の長さが下側引掛け部１２５ｂよりも下方に張り出す長さに形成されている。
【００３７】
高さ調整具１３０は、下側支持脚１１２に対して挿入される上側支持脚１２２の高さ方向の位置を固定または解除するための部品であり、主として、ストッパプレート１３１、中間筒１３２、内筒体１３３および外筒体１４０を備えて構成されている。
【００３８】
ストッパプレート１３１は、図４に示すように、下側支持脚１１２内に挿入された上側支持脚１２２の上下方向の変位を阻止するための金属製の部品であり、鋼板を長方形状に延ばした板状体で構成されている。この場合、ストッパプレート１３１は、後述する内筒体１３３および外筒体１４０に密着するように幅方向に円弧状に湾曲して形成されている。このストッパプレート１３１は、内筒体１３３に対向する内側面に係合突起１３１ａが形成されている。
【００３９】
係合突起１３１ａは、上側支持脚１２２のストッパ係合部１２３内に嵌合する部分であり、ストッパプレート１３１を構成する板状部分から方形に突出して形成されている。この係合突起１３１ａは、ストッパプレート１３１の長手方向の両端側にそれぞれ形成されている。この場合、２つの係合突起１３１ａの間隔は、ストッパ係合部１２３の形成間隔に対応している。
【００４０】
中間筒１３２は、図５（Ａ），（Ｂ）にそれぞれ示すように、下側支持脚１１２の上端部分内に挿入された状態で上側支持脚１２２が挿入される部品であり、樹脂材を円筒状に形成して構成されている。この中間筒１３２には、ストッパ貫通孔１３２ａ、引掛け部１３２ｂ、ロック突起係合部１３２ｃおよびフランジ部１３２ｄがそれぞれ形成されている。ストッパ貫通孔１３２ａは、ストッパプレート１３１に形成された係合突起１３１ａを貫通させるための部分であり、中間筒１３２の内部に貫通する正面で方形の孔で構成されている。すなわち、ストッパ貫通孔１３２ａは、中間筒１３２が下側支持脚１１２に取り付けられた状態においてストッパ貫通孔１１４に重なる２つの位置にそれぞれ形成されている。
【００４１】
引掛け部１３２ｂは、下側支持脚１１２に形成された止め孔１１６に弾性的に引っ掛ける部分であり、下側に延びる板状体の先端部に鉤爪が形成されて構成されている。この引掛け部１３２ｂは、中間筒１３２の下端部の外周面の周方向における互いに反対側の位置にそれぞれ形成されている。ロック突起係合部１３２ｃは、内筒体１３３に形成されているロック突起１３６が嵌合する部分であり、中間筒１３２の軸方向に互いに平行に延びる２つの突起で構成されている。このロック突起係合部１３２ｃは、中間筒１３２の外周面の上端部分における前記切欠き部１１５に対応する位置にそれぞれ形成されている。フランジ部１３２ｄは、下側支持脚１１２の上端部に引っ掛かるとともに内筒体１３３の上端部に引っ掛けられて内筒体１３３の回動を円滑させる部分であり、中間筒１３２の上端部にフランジ状に張り出して形成されている。
【００４２】
内筒体１３３は、図６（Ａ），（Ｂ）および図７にそれぞれ示すように、ストッパプレート１３１を下側支持脚１１２および上側支持脚１２２の各径方向外側に押圧するための部品であり、樹脂製の円筒体で構成されている。この場合、内筒体１３３は、下側支持脚１１２の外周面上を摺動可能な内径に形成されている。この内筒体１３３には、内側押圧部１３４、逃げ孔１３５、ロック突起１３６、外筒当て部１３７および引掛け部１３８がそれぞれ形成されている。
【００４３】
内側押圧部１３４は、ストッパプレート１３１を下側支持脚１１２および上側支持脚１２２の各径方向外側に押圧する部分であり、内筒体１３３の周方向に沿って外周面の張り出し量が連続的に増加する傾斜面で構成されている。より具体的には、内側押圧部１３４は、最小部１３４ａ、最大部１３４ｂおよび最大前部１３４ｃが形成されている。
【００４４】
最小部１３４ａは、最小部１３４ａにストッパプレート１３１の内側面が密着した状態で係合突起１３１ａが上側支持脚１２２のストッパ係合部１２３に嵌合することができる最小の張り出し量で形成された部分である。この最小部１３４ａは、張り出しがない張り出し量が「０」から最大前部１３４ｃに向かって徐々に張り出し量が増加する勾配の傾斜面で構成されている。
【００４５】
最大部１３４ｂは、最大部１３４ｂにストッパプレート１３１の内側面が密着した状態で係合突起１３１ａがストッパ係合部１２３から完全に外れる最大の張り出し量で形成された部分である。この最大部１３４ｂは、一定の張り出し量でかつストッパプレート１３１の幅方向と長さと略同じ長さに形成されている。
【００４６】
最大前部１３４ｃは、最大部１３４ｂに向かって張り出し量が徐々に増加する最小部１３４ａが最大部１３４ｂの直前部分で張り出し量の増加割合がより増加する部分である。すなわち、最大前部１３４ｃは、最大部１３４ｂの直前で最小部１３４ａの勾配よりも大きな急勾配に形成された部分である。この最大前部１３４ｃは、ストッパプレート１３１の幅方向と半分の長さと略同じ長さに形成されている。
【００４７】
この内側押圧部１３４は、内筒体１３３の軸方向における両端部側部分および中央部の３つの位置にそれぞれ平行に形成されている。すなわち、内側押圧部１３４は、ストッパプレート１３１の２つの係合突起１３１ａに対して同２つの係合突起１３１ａの各外側および同２つの係合突起１３１ａの間にそれぞれ位置するように形成されている。
【００４８】
逃げ孔１３５は、ストッパプレート１３１に対して相対的に回動する内筒体１３３の係合突起１３１ａへの物理的干渉を避けるための部分であり、係合突起１３１ａが貫通する貫通孔が内側押圧部１３４に沿った長孔状に形成されている。この逃げ孔１３５は、下側支持脚１１２に取り付けられた際にストッパプレート１３１の２つの係合突起１３１ａに対向する２か所の部分にそれぞれ形成されている。
【００４９】
ロック突起１３６は、前記中間筒１３２のロック突起係合部１３２ｃに弾性的に嵌合して内筒体１３３の回動を阻止するための部分であり、上側に延びる板状体の先端部に径方向内側に凸状に張り出した突起を備えて構成されている。外筒当て部１３７は、外筒体１４０から周方向の回転力が加えられる部分であり、内筒体１３３の外周面から凸状に突出して形成されている。本実施形態においては、外筒当て部１３７は、帯状に延びて形成された前記３つの内側押圧部１３４における各最小部１３４ａに対して離隔した位置、および各最大部１３４ｂの端面にそれぞれ形成されている。
【００５０】
引掛け部１３８は、外筒体１４０に形成された止め孔１４３に弾性的に引っ掛ける部分であり、径方向外側に張り出して下垂する板状体の先端部に鉤爪が形成されて構成されている。この引掛け部１３８は、内筒体１３３の下端部の外周面の周方向における互いに反対側の位置にそれぞれ形成されている。
【００５１】
外筒体１４０は、図８（Ａ），（Ｂ）および図９にそれぞれ示すように、内筒体１３３を周方向に回動させるとともにストッパプレート１３１を下側支持脚１１２および上側支持脚１２２の各径方向内側に押圧するための部品であり、樹脂製の円筒体で構成されている。この場合、外筒体１４０は、内筒体１３３の外周面上にストッパプレート１３１を挟んだ状態で嵌合する内径に形成されている。この外筒体１４０には、外側押圧部１４１、内筒押し部１４２および止め孔１４３がそれぞれ形成されているとともにロック片１４４を備えている。
【００５２】
外側押圧部１４１は、ストッパプレート１３１を内側押圧部１３４と挟んで下側支持脚１１２および上側支持脚１２２の各径方向内側に押圧する部分であり、外筒体１４０の周方向に沿って内周部の内径が連続的に減少する傾斜面で構成されている。より具体的には、外側押圧部１４１は、最小部１４１ａ、最大部１４１ｂおよび弾性押圧部１４１ｃが形成されている。
【００５３】
最小部１４１ａは、最小部１３４ａにストッパプレート１３１の外側面が密着した状態で係合突起１３１ａが上側支持脚１２２のストッパ係合部１２３に嵌合することができる最小の内径に形成された部分であり、内側押圧部１３４における最小部１３４ａに対向する位置に形成されている。この最小部１４１ａは、弾性押圧部１４１ｃに向かって徐々に内径が増加する勾配の傾斜面で構成されている。
【００５４】
最大部１４１ｂは、ストッパプレート１３１の係合突起１３１ａがストッパ係合部１２３から完全に外れる位置まで内側押圧部１３４の最大部１３４ｂによるストッパプレート１３１の径方向外側への変位を許容する内径に形成された部分であり、最大部１３４ｂに対向する位置に形成されている。この最大部１４１ｂは、ストッパプレート１３１の幅方向と長さよりも長い長さに形成されている。
【００５５】
弾性押圧部１４１ｃは、内側押圧部１３４の最大前部１３４ｃに位置したストッパプレート１３１の外側面を弾性的に押圧する部分であり、周方向に互いに対向する２つの片持ち梁状の板状片で構成されている。具体的には、弾性押圧部１４１ｃは、最小部１４１ａの最大部１４１ｂ側の先端部および最大部１４１ｂの最小部１４１ａ側の先端部がそれぞれ片持ち梁状の板状片に切り抜かれて径方向内側に張り出して形成されている。
【００５６】
この弾性押圧部１４１ｃは、内筒体１３３に形成された２つの逃げ孔１３５に対向する位置にそれぞれ形成されている。なお、この弾性押圧部１４１ｃは、ストッパプレート１３１を径方向内側に弾性的に押圧できればよいため、形成する位置や数は本実施形態に限定されるものではない。
【００５７】
内筒押し部１４２は、内筒体１３３を周方向のうちの一方の方向または他方の方向にそれぞれ押して内筒体１３３を回動させるための部分であり、外筒体１４０の内周面の周方向における外側押圧部１４１以外の部分の内径が外側押圧部１４１以下の内径に形成されて構成されている。より具体的には、内筒押し部１４２は、外側押圧部１４１の最小部１４１ａおよび最大部１４１ｂの各後端部分がそれぞれ径方向内側に張り出して内筒体１３３の外筒当て部１３７に接触するように形成されている。
【００５８】
止め孔１４３は、内筒体１３３の引掛け部１３８が嵌合することで外筒体１４０と内筒体１３３とを一体的に連結するための貫通孔である。この止め孔１４３は、外筒体１４０の周方向における互いに反対側の位置にそれぞれ形成されている。
【００５９】
ロック片１４４は、内筒体１３３のロック突起１３６を径方向内側に押圧して中間筒１３２のロック突起係合部１３２ｃに嵌合させて内筒体１３３および外筒体１４０の回動変位を規制する部品である。より具体的には、ロック片１４４は、外筒体１４０の上端部にスライド変位可能な状態で嵌合する板状体の内側面の一部に内筒体１３３のロック突起１３６を径方向内側に押圧するロック突起押圧部１４４ａを備えて構成されている。そして、これらの下側支持脚１１２、上側支持脚１２２および高さ調整具１３０によって本発明に係る高さ調整機構１００が構成されている。
【００６０】
（机１０１の組み立て）
ここで、このように構成された机１０１の組み立て作業について説明する。作業者は、まず、１つのベース脚１１０、１つの天板１２０および２つの高さ調整具１３０をそれぞれ用意する。この場合、作業者は、鋼製のパイプ材にプレスカットやピアス抜きなどのプレス加工を用いてストッパ貫通孔１１４、切欠き部１１５および止め孔１１６を成形して下側支持脚１１２を製作した後、この下側支持脚１１２に別工程で製作した足体１１１および連結棒１１３を溶接加工により連結してベース脚１１０を得る。
【００６１】
また、作業者は、鋼製のパイプ材にプレス加工を用いてストッパ係合部１２３および止め孔１２４を成形して上側支持脚１２２を製作した後、この上側支持脚１２２を板金加工により成形した底板１２１およびＵ字部材１２６とともに木製の天板１２０の裏面に取り付けて天板１２０を得る。また、作業者は、射出成形加工を用いて先端部材１２５、中間筒１３２、内筒体１３３および外筒体１４０を成形する。この場合、先端部材１２５、中間筒１３２、内筒体１３３および外筒体１４０は、左右の下側支持脚１１２および上側支持脚１２２にそれぞれ対応して左右対称な形状に形成される。また、作業者は、鋼板に対して鍛造加工を行うことにより係合突起１３１ａを成形してストッパプレート１３１を得る。なお、本実施形態においては、机１０１の左右の下側支持脚１１２と上側支持脚１２２とで高さ調整具１３０を左右対称としたが、左右で同じ形状で構成してもよいことは当然である。
【００６２】
次に、作業者は、ベース脚１１０、天板１２０および高さ調整具１３０を互いに組み付ける。具体的には、作業者は、机１０１の設置面となる床面上に載置した左右の下側支持脚１１２の上端部からそれぞれ中間筒１３２を挿入して中間筒１３２を下側支持脚１１２に取り付けた後、これらの各下側支持脚１１２の外側にそれぞれ内筒体１３３を通す。この場合、作業者は、各内筒体１３３の内側押圧部１３４における最大部１３４ｂが下側支持脚１１２のストッパ貫通孔１１４に軸方向に隣接する向きで配置する。これにより、各内筒体１３３の各ロック突起１３６が中間筒１３２の３つのロック突起係合部１３２ｃの一つに弾性的に嵌合するため、内筒体１３３の周方向および上下方向の各変位が軽く規制された状態となる。
【００６３】
次に、作業者は、ストッパプレート１３１を左右の内筒体１３３の内側押圧部１３４にそれぞれ宛がった状態で左右の外筒体１４０を内筒体１３３にそれぞれ被せる。この場合、作業者は、各外筒体１４０からロック片１４４をそれぞれ取り外しておく。また、作業者は、図１０に示すように、各外筒体１４０の外側押圧部１４１における最大部１４１ｂがストッパプレート１３１に面する向きで外筒体１４０を内筒体１３３に被せる。これにより、ストッパプレート１３１は、係合突起１３１ａが上側支持脚１２２のストッパ係合部１２３に嵌合しない状態となる。
【００６４】
次に、作業者は、左右の各上側支持脚１２２の下端部に先端部材１２５をそれぞれ嵌め込んだ後、これらの左右の上側支持脚１２２を各下側支持脚１１２内にそれぞれ挿し込む。これにより、机１０１は、天板１２０が上下動自在なフリー状態で組み付けられる。そして、作業者は、天板１２０を上下方向のストロークにおける下限位置まで下げる。
【００６５】
次に、作業者は、図１１に示すように、左右の各外筒体１４０を手動により回動（図１０における矢印Ａ方向）させて外側押圧部１４１の弾性押圧部１４１ｃをストッパプレート１３１に面する位置にそれぞれ位置決めする。この場合、内筒体１３３は、外筒体１４０の内筒押し部１４２が内筒体１３３の外筒当て部１３７を押すことで外筒体１４０と一体的に回動する。また、ストッパプレート１３１は、外筒体１４０および内筒体１３３が回動することで、外側押圧部１４１の内径および内側押圧部１３４の張り出し量がそれぞれ減少するため径方向内側に変位する。また、作業者は、外筒体１４０を回動操作時にストッパプレート１３１が内側押圧部１３４の最大前部１３４ｃを通過することで操作感が急に軽くなるためストッパプレート１３１が弾性押圧部１４１ｃに位置したことを認識することができる。
【００６６】
また、この場合、高さ調整具１３０は、外筒体１４０の回動によって内筒体１３３が回動することで支持状態に対応するロック突起係合部１３２ｃからロック突起１３６が弾性的に外れるとともに、その後、仮止め状態に対応するロック突起係合部１３２ｃに弾性的に嵌合するため、その都度「カチッ」という音が生じるとともに作業者に手ごたえを与える。これにより、作業者は、外筒体１４０が仮止め状態の位置まで回動したことを容易に認識することができる。これらにより、左右の各ストッパプレート１３１は、弾性押圧部１４１ｃによって径方向内側に弾性的に押圧されて係合突起１３１ａの先端部分が中間筒１３２の内側に弾性的に露出した仮止め状態となる。
【００６７】
次に、作業者は、天板１２０を上昇させて左右の各ストッパ係合部１２３に係合突起１３１ａを軽く嵌合させる。この場合、係合突起１３１ａは、弾性押圧部１４１ｃによって弾性的に押圧されているため、上側支持脚１２２が上昇することでストッパ係合部１２３が上方に変位した場合であっても径方向外側に変位した後に径方向内側に変位してストッパ係合部１２３を含む上側支持脚１２２の外周面の凹凸に追従する。一方、係合突起１３１ａは、ストッパ係合部１２３の上端の水平面に引っ掛かっているため、下方に対する力では径方向外側には変位しない。すなわち、天板１２０は、各係合突起１３１ａが逆三角形状のストッパ係合部１２３に弾性的に嵌合しているため、上昇可能な状態であっても手を放すことで直ちに落下することはない。
【００６８】
そして、作業者は、図１２に示すように、係合突起１３１ａがストッパ係合部１２３に軽く嵌合する位置で各外筒体１４０を更に回動操作（図１１における矢印Ｂ方向）して外側押圧部１４１の最小部１４１ａをストッパプレート１３１に面する位置にそれぞれ位置決めする。この場合、ストッパプレート１３１は、外筒体１４０および内筒体１３３が回動することで、外側押圧部１４１の内径および内側押圧部１３４の張り出し量がそれぞれ更に減少するため径方向内側に更に変位する。これにより、左右の各ストッパプレート１３１は、最小部１４１ａによって径方向内側に強制的に押圧されて係合突起１３１ａがストッパ係合部１２３に完全に嵌合する。
【００６９】
また、この場合においても、高さ調整具１３０は、外筒体１４０の回動によって内筒体１３３が回動することで仮止め状態に対応するロック突起係合部１３２ｃからロック突起１３６が弾性的に外れるとともに、その後、支持状態に対応するロック突起係合部１３２ｃに弾性的に嵌合するため、その都度「カチッ」という音が生じるとともに作業者に手ごたえを与える。これにより、作業者は、外筒体１４０が支持状態の位置まで回動したことを容易に認識することができる。これらにより、上側支持脚１２２は、上下方向の変位が係合突起１３１ａの嵌合によって規制されるため、天板１２０の高さが固定される支持状態となる。
【００７０】
そして、作業者は、２つのロック片１４４を各外筒体１４０に挿し込む。これにより、高さ調整具１３０は、ロック突起押圧部１４４ａが内筒体１３３のロック突起１３６を径方向内側に強く押圧して中間筒１３２のロック突起係合部１３２ｃに嵌合させるため、外筒体１４０および内筒体１３３の周方向への回動が規制された状態となる。これにより、作業者は、机１０１を組み立てることができる。
【００７１】
（高さ調整機構１００の作動）
次に、このように構成した机１０１の作動について説明する。具体的には、机１０１における天板１２０の高さ調整作業について説明する。この高さ調整作業においては、前記組み立て作業説明における天板１２０の高さが固定された支持状態（図１２参照）から天板１２０の高さを調整する作業について説明する。
【００７２】
天板１２０の高さ調整を行う作業者は、まず、左右の外筒体１４０の各ロック片１４４を上方にスライドさせてロック突起押圧部１４４ａによるロック突起１３６の押圧状態を解除する。これにより、高さ調整具１３０は、ロック突起１３６が中間筒１３２のロック突起係合部１３２ｃに弾性的に嵌合した状態で回動可能な状態となる。
【００７３】
次に、作業者は、天板１２０の高さを上昇させたい場合には、図１１に示すように、左右の外筒体１４０を回動操作（図１２における矢印Ｃ方向）して外側押圧部１４１の弾性押圧部１４１ｃをストッパプレート１３１に面する位置にそれぞれ位置決めする。この場合、ストッパプレート１３１は、外筒体１４０および内筒体１３３が回動するため外側押圧部１４１の内径および内側押圧部１３４の張り出し量がそれぞれ増加することで径方向外側に変位する。また、作業者は、外筒体１４０を回動操作時にストッパプレート１３１が内側押圧部１３４の最大前部１３４ｃに当たることでストッパプレート１３１が弾性押圧部１４１ｃに位置したことを認識することもできる。
【００７４】
また、高さ調整具１３０は、外筒体１４０の回動によって内筒体１３３が回動することで支持状態に対応するロック突起係合部１３２ｃからロック突起１３６が弾性的に外れるとともに、その後、仮止め状態に対応するロック突起係合部１３２ｃに弾性的に嵌合するため、その都度「カチッ」という音が生じるとともに作業者に手ごたえを与える。これらにより、作業者は、外筒体１４０が仮止め状態の位置まで回動したことを容易に認識することができる。すなわち、高さ調整具１３０は、左右の各ストッパ係合部１２３に係合突起１３１ａを弾性的に軽く嵌合した仮止め状態となる。
【００７５】
したがって、作業者は、天板１２０を上昇させることにより左右の係合突起１３１ａが嵌合するストッパ係合部１２３の位置を変化させて天板１２０の高さ位置を上昇方向において自由に選択することができる。すなわち、この天板１２０が、本発明における被支持体に相当する。この仮止め状態においては、前記したように、天板１２０は、各係合突起１３１ａが逆三角形状のストッパ係合部１２３に弾性的に嵌合しているため、上昇可能な状態であっても手を放すことで直ちに落下することはない。
【００７６】
そして、作業者は、図１２に示すように、天板１２０の高さ位置を希望の高さ位置とする係合突起１３１ａのストッパ係合部１２３への嵌合位置を特定した場合には、左右の外筒体１４０を先程とは反対方向に回動操作（図１１における矢印Ｂ方向）して外側押圧部１４１の最小部１４１ａをストッパプレート１３１に面する位置にそれぞれ位置決めする。この場合においても、ストッパプレート１３１は、外筒体１４０および内筒体１３３が回動することで、外側押圧部１４１の内径および内側押圧部１３４の張り出し量がそれぞれ減少することで径方向内側に案内される。これにより、左右の各ストッパプレート１３１は、最小部１４１ａによって径方向内側に強制的に押圧されて係合突起１３１ａがストッパ係合部１２３に完全に嵌合する。
【００７７】
また、この場合においても、高さ調整具１３０は、外筒体１４０の回動によって内筒体１３３が回動することで仮止め状態に対応するロック突起係合部１３２ｃからロック突起１３６が弾性的に外れるとともに、その後、支持状態に対応するロック突起係合部１３２ｃに弾性的に嵌合するため、その都度「カチッ」という音が生じるとともに作業者に手ごたえを与える。これにより、作業者は、外筒体１４０が支持状態の位置まで回動したことを容易に認識することができる。これらにより、上側支持脚１２２は、上下方向の変位が係合突起１３１ａの嵌合によって規制されるため、天板１２０の高さが固定される支持状態となる。
【００７８】
そして、作業者は、左右のロック片１４４を各外筒体１４０内に再び深く挿し込む。これにより、高さ調整具１３０は、ロック突起押圧部１４４ａが内筒体１３３のロック突起１３６を径方向内側に強く押圧して中間筒１３２のロック突起係合部１３２ｃに嵌合させるため、外筒体１４０および内筒体１３３の周方向への回動が規制された状態となる。この状態で机１０１は、机としての使用に供される。
【００７９】
一方、作業者は、天板１２０の高さを下げたい場合には、天板１２０の高さを一旦現在の高さ以下の高さに位置決めする。具体的には、作業者は、図１０に示すように、外筒体１４０を仮止め状態の位置から更に回動操作（図１１における矢印Ｄ方向）することにより外側押圧部１４１の最大部１４１ｂをストッパプレート１３１に面する位置、すなわち、内側押圧部１３４の最大部１３４ｂをストッパプレート１３１に面する位置に位置決めする。この場合、ストッパプレート１３１は、外筒体１４０および内筒体１３３が回動することで、外側押圧部１４１の内径および内側押圧部１３４の張り出し量がそれぞれ増加するため径方向外側に案内される。
【００８０】
この場合、高さ調整具１３０は、外筒体１４０の回動によって内筒体１３３が回動することで仮止め状態に対応するロック突起係合部１３２ｃからロック突起１３６が弾性的に外れるとともに、その後、フリー状態に対応するロック突起係合部１３２ｃに弾性的に嵌合するため、その都度「カチッ」という音が生じるとともに作業者に手ごたえを与える。これらにより、作業者は、外筒体１４０がフリー状態の位置まで回動したことを容易に認識することができる。すなわち、高さ調整具１３０は、左右の各ストッパ係合部１２３から係合突起１３１ａが完全に離隔したフリー状態となる。
【００８１】
したがって、作業者は、天板１２０を現在の高さ以下の高さ（例えば、下限位置）まで下げた後、再び左右の外筒体１４０を反対方向に回動操作（図１０における矢印Ａ方向）して外側押圧部１４１の弾性押圧部１４１ｃをストッパプレート１３１に面する位置にそれぞれ位置決めして仮止め状態とする。次いで、作業者は、前記と同様にして、天板１２０を上昇させることにより左右の係合突起１３１ａが嵌合するストッパ係合部１２３の位置を変化させて天板１２０の高さ位置を上昇方向において自由に選択することができる。
【００８２】
そして、作業者は、天板１２０の高さ位置を希望の高さ位置とする係合突起１３１ａのストッパ係合部１２３への嵌合位置を特定した場合には、前記したように、左右の外筒体１４０を反対方向に回動操作（図１１における矢印Ｄ方向）して外側押圧部１４１の最小部１４１ａをストッパプレート１３１に面する位置にそれぞれ位置決めすることで天板１２０を再び支持状態とすることができる（図１２参照）。
【００８３】
上記作動説明からも理解できるように、上記実施形態によれば、机１０１は、外筒体１４０を手動で回動操作することで内筒体１３３を回動させてストッパプレート１３１の係合突起１３１ａをストッパ係合部１２３から離隔させて上側支持脚１２２を下側支持脚１１２に対して上下動可能な状態にすることができるとともに、外筒体１４０を手動で回動操作することで係合突起１３１ａをストッパ係合部１２３に嵌合させて上側支持脚１２２を下側支持脚１１２に対して上下動が不能な固定状態とすることができる。すなわち、本発明に係る机１０１によれば、高さ調整具１３０を手動操作することで天板１２０の高さ調整が可能な状態と不能な状態を容易に切り替えることができるため、工具を使用することなく簡単な作業で天板１２０の高さを調整することができる。
【００８４】
さらに、本発明の実施にあたっては、上記実施形態に限定されるものではなく、本発明の目的を逸脱しない限りにおいて種々の変更が可能である。
【００８５】
例えば、上記実施形態においては、ストッパプレート１３１は、２つの係合突起１３１ａを備えて構成した。しかし、ストッパプレート１３１は、少なくとも１つの係合突起１３１ａを備えて構成されていればよい。したがって、ストッパプレート１３１は、３つまたは３つ以上の係合突起１３１ａを備えて構成することができる。この場合、ストッパ貫通孔１１４および逃げ孔１３５は、係合突起１３１ａの数に対応した数だけ形成すればよい。
【００８６】
また、上記実施形態においては、ストッパ係合部１２３は、上側支持脚１２２の下端部から上端部までの範囲に亘って複数のストッパ係合部１２３を一列に並べて形成した。しかし、ストッパ係合部１２３は、上側支持脚１２２の外周面上に少なくとも１つ形成されていればよい。
【００８７】
また、上記実施形態においては、内側押圧部１３４は、最小部１３４ａと最大部１３４ｂとの間の中間部分に最小部１３４ａおよび最大部１３４ｂにおける勾配とは異なる勾配の最大前部１３４ｃを形成した。これにより、作業者は、外筒体１４０および内筒体１３３の回動方向の位置の目安を得ることができる。しかし、内側押圧部１３４は、最大前部１３４ｃを省略して構成することもできる。
【００８８】
また、上記実施形態においては、外側押圧部１４１は、最小部１４１ａと最大部１４１ｂとの間の中間部分に弾性押圧部１４１ｃを形成した。これにより、高さ調整具１３０は、上側支持脚１２２を下側支持脚１１２に対して仮止め状態とすることができる。しかし、外側押圧部１４１は、弾性押圧部１４１ｃを省略して構成することができる。
【００８９】
また、上記実施形態においては、机１０１は、下側支持脚１１２と上側支持脚１２２との間に中間筒１３２を設けた。しかし、机１０１は、中間筒１３２を省略して形成するこができる。
【００９０】
また、上記実施形態においては、高さ調整具１３０は、ロック片１４４を備えて構成した。これにより、高さ調整具１３０の自由な操作を規制することができるため、子供による不用意な操作を防ぐことができる。しかし、高さ調整具１３０は、ロック片１４４を省略して構成することもできる。
【００９１】
また、上記実施形態においては、机１０１は、先端部材１２５を備えて構成した。しかし、机１０１は、先端部材１２５を省略して構成することもできる。
【００９２】
また、上記実施形態においては、机１０１は、ストッパ係合部１２３を逆三角形に形成することにより仮止め状態においては天板１２０は上昇のみ可能とした。しかし、机１０１は、仮止め状態においても天板１２０が下降可能に構成することもできる。例えば、机１０１は、ストッパプレート１３１における係合突起１３１ａの上辺の角部分の形状を丸みを持った形状や傾斜面の形状にすることにより下方への押圧力によってストッパプレート１３１を径方向外側に変位するように構成することもできる。
【００９３】
また、上記実施形態においては、机１０１は、小学校や中学校などの教育施設などにおいて使用する学習机をとしたが、学習机以外の机、例えば、教卓、家庭用学習机、事務机または食卓としても実施可能である。
【００９４】
また、上記実施形態においては、高さ調整機構１００を机１０１に適用した。すなわち、天板１２０が本発明における被支持体に相当し、机１０１が本発明における什器に相当する。しかしながら、高さ調整機構１００は、机１０１以外の家具や道具などからなる什器に広く適用することができる。ここで、什器としては、例えば、椅子、ホワイトボード、三脚（３つの脚を持つ台）またはマイクスタンドがある。この場合、什器を椅子とした場合には被支持体は椅子の座面を構成する座板であり、什器をホワイトボードとした場合には被支持体は白板であり、什器を三脚とした場合には被支持体は３つの脚に支持される台であり、什器をマイクスタンドとした場合には被支持体はマイクを着脱自在に保持する保持具である。すなわち、高さ調整機構１００は、２つのパイプ材が垂直方向に互いに摺動自在に嵌合し合って任意の高さ位置で固定できる什器に広く適用できる。この場合、２つの一対のパイプ材、すなわち、下側支持脚１１２および上側支持脚１２２は、上記実施形態のように２組であってもよいが、マイクスタンドのように１組でもよい。
【符号の説明】
【００９５】
１００…高さ調整機構、
１０１…机、
１１０…ベース脚、１１１…足体、１１２…下側支持脚、１１３…連結棒、１１４…ストッパ貫通孔、１１５…切欠き部、１１６…止め孔、
１２０…天板、１２１…底板、１２２…上側支持脚、１２３…ストッパ係合部、１２４…止め孔、１２５…先端部材、１２５ａ…上側掛け部、１２５ｂ…下側掛け部、１２５ｃ…規制部、１２６…Ｕ字部材、
１３０…高さ調整具、１３１…ストッパプレート、１３１ａ…係合突起、１３２…中間筒、１３２ａ…ストッパ貫通孔、１３２ｂ…引掛け部、１３２ｃ…ロック突起嵌合部、１３２ｄ…フランジ部、１３３…内筒体、１３４…内側押圧部、１３４ａ…最小部、１３４ｂ…最大部、１３４ｃ…最大前部、１３５…逃げ孔、１３６…ロック突起、１３７…外筒当て部、１３８…引掛け部、
１４０…外筒体、１４１…外側押圧部、１４１ａ…最小部、１４１ｂ…最大部、１４１ｃ…弾性押圧部、１４２…内筒押し部、１４３…止め孔、１４４…ロック片、１４４ａ…ロック突起押圧部。
【図１】
2019072296.tif 000003
【図２】
2019072296.tif 000004
【図３】
2019072296.tif 000005
【図４】
2019072296.tif 000006
【図５】
2019072296.tif 000007
【図６】
2019072296.tif 000008
【図７】
2019072296.tif 000009
【図８】
2019072296.tif 000010
【図９】
2019072296.tif 000011
【図１０】
2019072296.tif 000012
【図１１】
2019072296.tif 000013
【図１２】
2019072296.tif 000014